(57)【特許請求の範囲】
【請求項１】
ディスク（１）であって、前記ディスク（１）が、内側環状針シリンダ・ホルダ（１０）および前記内側環状針シリンダ・ホルダ（１０）の周りに延びる外側環状針シリンダ・ホルダ（２０）を備え、前記内側環状針シリンダ・ホルダ（１０）および前記外側環状針シリンダ・ホルダ（２０）が、二重斜面輪郭形状を示すように同じ傾斜角で２つの逆向きの方向に傾斜しており、前記傾斜角が水平方向に対し５０°〜６０°であるディスク（１）、
前記内側環状針シリンダ・ホルダ（１０）の内側面上に、前記傾斜角が固定されて設置された内側ベース部材（１１）、
前記内側ベース部材（１１）の上側面上に固定装着され、かつ前記内側環状針シリンダ・ホルダ（１０）の内部表面に沿って互いに当接されている複数の扇型の内側カム・ブロック支持部材（１２）、
前記扇型の内側カム・ブロック支持部材（１２）のそれぞれの底部側面にそれぞれ設けられた複数の内側カム・ブロック（１３）であって、前記内側カム・ブロック（１３）がそれぞれ、各針軌道を画定する内側カム・ブロック（１３）、
前記内側環状針シリンダ・ホルダ（１０）と前記内側カム・ブロック（１３）の間にそれぞれ配置され、かつ編成工程を行うために、前記内側カム・ブロック（１３）の針軌道内で往復運動可能である複数の内側針（１４）、
前記外側環状針シリンダ・ホルダ（２０）の外側面上に、前記傾斜角が固定されて設置された外側ベース部材（２１）、
前記外側ベース部材（２１）の上側面上に固定装着され、かつ前記外側環状針シリンダ・ホルダ（２０）の外部表面に沿って互いに当接されている複数の扇型の外側カム・ブロック支持部材（２２）、
前記扇型の外側カム・ブロック支持部材（２２）のそれぞれの底部側面にそれぞれ設けられた複数の外側カム・ブロック（２３）であって、前記外側カム・ブロックがそれぞれ各針軌道を画定している外側カム・ブロック（２３）、および
前記外側環状針シリンダ・ホルダ（２０）と前記外側カム・ブロック（２３）の間にそれぞれ配置され、かつ編成工程を行うために前記外側カム・ブロック（２３）の針軌道内で往復運動可能である複数の外側針（２４）と、
前記内側針（１４）と平行に連結されて往復運動可能に備えられた、先端に内側への突出部を備えた１つ以上の棒状のシンカ（４０）と、
前記外側針（２４）と平行に連結されて往復運動可能に備えられた、先端に内側への突出部を備えた１つ以上の棒状のシンカ（４０）とを備え、
前記棒状のシンカ（４０）の先端の突出部が、対抗する側において糸（３１）をフックしている状態にあっても、編成後針（１４，２４）が引かれた状態にあっても、編物（３３）を抑え続けるように配置されていることを特徴とする二重斜面タイプの二重編丸編機。
【請求項２】
前記扇型の外側カム・ブロック支持部材（２２）が、ねじによって前記外側ベース部材（２１）の上側面に固定締結されていることを特徴とする請求項１に記載の二重斜面タイプの二重編丸編機。
【請求項３】
前記扇型の内側カム・ブロック支持部材（１２）が、ねじ（５０）によって前記内側ベース部材（１１）の上側面に固定締結されていることを特徴とする請求項１に記載の二重斜面タイプの二重編丸編機。
【請求項４】
前記内側環状針シリンダ・ホルダ（１０）および前記外側環状針シリンダ・ホルダ（２０）が、ねじ（５０）によって機械ベースに固定締結されていることを特徴とする請求項１に記載の二重斜面タイプの二重編丸編機。
【請求項５】
前記内側環状針シリンダ・ホルダ（１０）および前記外側環状針シリンダ・ホルダ（２０）の傾斜角が５５°であることを特徴とする請求項１に記載の二重斜面タイプの二重編丸編機。
【発明の詳細な説明】
【技術分野】
【０００１】
本発明は、丸編機、より詳細には、５０°〜６０°の二重斜面輪郭形状を示すように構成された内側環状針シリンダ・ホルダおよび外側環状針シリンダ・ホルダを有する、二重斜面タイプの二重編丸編機に関する。また、シンカが、二重斜面タイプの二重編丸編機が、二重編物ならびに両面のリバーシブル布地および両面の不規則形状の布地を編成することを可能にするために、編地を押さえることを補助するように、二重斜面タイプの二重編丸編機の内側針または外側針と結合されてもよい。
【背景技術】
【０００２】
従来の二重編丸編機は、水平方向針シリンダ・ホルダおよび垂直方向針シリンダ・ホルダを有するディスク、水平方向針シリンダ・ホルダの表面に沿って互いに水平方向に当接されている複数の扇型の水平方向カム調節部材、扇型の水平方向カム調節部材の底部側面にそれぞれ配置された複数の水平方向カム・ブロック、編成工程を行うために、水平方向カム・ブロックのそれぞれの中の各水平方向針軌道内を往復運動可能である複数の水平方向針、垂直方向針シリンダ・ホルダの表面に沿って互いに当接されている複数の扇型の垂直方向カム調節部材、扇型の垂直方向カム調節部材の底部表面にそれぞれ配置された複数の垂直方向カム・ブロック、および編成工程を行うために、垂直方向カム・ブロックのそれぞれの中の各垂直方向針軌道内を往復運動可能である複数の垂直方向針を一般に備える。水平方向針および垂直方向針の往復運動中、ディスクの上方の糸フィーダから繰り出される糸が、布地に編成される。
【０００３】
前述の従来型の二重編丸編機は、機能においてまだ満足できるものではない。水平方向針および垂直方向針が、編成動作中異なる方向に往復運動するため、力の分散の影響が、不均一な編目の長さおよび編目のトビを結果として生じさせることがある。この編地は、低い弾力性を有する。さらに、二重編丸編機のこの設計は、両面のリバーシブル布地、両面の不規則形状の布地、または微細ゲージの布地（２０Ｇ／インチまたは２４Ｇ／インチ）を編成するために実用的である。
【０００４】
したがって、前述の欠点を除去する二重編丸編機を提供することが望ましい。
【発明の開示】
【発明が解決しようとする課題】
【０００５】
本発明は、この状況を鑑みて達成された。したがって、従来の二重編丸編機の欠点を除去する二重斜面タイプの二重編丸編機を提供することが、本発明の主な目的である。
【課題を解決するための手段】
【０００６】
本発明の一態様によると、二重斜面タイプの二重編丸編機は、内側環状針シリンダ・ホルダ、および内側環状針シリンダ・ホルダの周りに延びる外側環状針シリンダ・ホルダを備える。内側環状針シリンダ・ホルダおよび外側環状針シリンダ・ホルダは、二重斜面輪郭形状を示すように、同じ傾斜角、たとえば、５０°〜６０°で、２つの逆の方向に傾斜している。さらに、シンカが、編地を押さえることを補助するために、内側針または外側針と結合されてもよい。したがって、二重斜面タイプの二重編丸編機は、二重編物ならびに両面のリバーシブル布地および両面の不規則な形状の布地を編成するために実用的である。
【０００７】
本発明の好ましい実施形態によると、二重斜面タイプの二重編丸編機は、ディスクであって、このディスクが、内側環状針シリンダ・ホルダおよび内側環状針シリンダ・ホルダの周りに延びる外側環状針シリンダ・ホルダを備え、内側環状針シリンダ・ホルダおよび外側環状針シリンダ・ホルダが、二重斜面輪郭形状を示すように同じ傾斜角で２つの逆向きの方向に傾斜しているディスク、内側環状針シリンダ・ホルダの内側面上に固定装着された内側ベース部材、内側ベース部材の上側面上に固定装着され、かつ内側環状針シリンダ・ホルダの内部表面に沿って互いに当接されている複数の扇型の内側カム調節部材、扇型の内側カム調節部材のそれぞれの底部側面にそれぞれ設けられた複数の内側カム・ブロックであって、内側カム・ブロックがそれぞれ、各針軌道を画定する内側カム・ブロック、内側環状針シリンダ・ホルダと内側カム・ブロックの間にそれぞれ配置され、かつ編成工程を行うために、内側カム・ブロックの針軌道内で往復運動可能である複数の内側針、外側環状針シリンダ・ホルダの外側面上に固定装着された外側ベース部材、外側ベース部材の上側面上に固定装着され、かつ外側環状針シリンダ・ホルダの外部表面に沿って互いに当接されている複数の扇型の外側カム調節部材、扇型の外側カム調節部材のそれぞれの底部側面にそれぞれ設けられた複数の外側カム・ブロックであって、外側カム・ブロックがそれぞれ各針軌道を画定している外側カム・ブロック、および、外側環状針シリンダ・ホルダと外側カム・ブロックの間にそれぞれ配置され、かつ編成工程を行うために外側カム・ブロックの針軌道内で往復運動可能である複数の外側針を備える。
また、前記扇型の外側カム調節部材が、ねじによって前記外側ベース部材の上側面に固定締結されていることが好適である。
また、前記扇型の内側カム調節部材が、ねじによって前記内側ベース部材の上側面に固定締結されていることが好適である。
また、前記内側環状針シリンダ・ホルダおよび前記外側環状針シリンダ・ホルダが、ねじによって機械ベースに固定締結されていることが好適である。
また、単一の編物の編成中に編地を押さえるために前記外側針と結合された、少なくとも１つのシンカをさらに備えることが好適である。
また、単一の編物の編成中に編地を押さえるために前記内側針と結合された、少なくとも１つのシンカをさらに備えることが好適である。
内側環状針シリンダ・ホルダおよび外側環状針シリンダ・ホルダが二重斜面輪郭形状を示すように同じ傾斜角で２つの逆の方向に傾斜しているため、本発明は、より良い弾力性、均一性、気密性、および堅さを有する布地を編成するため針のタックおよび引き出し動作を容易にする。
【０００８】
さらに、内側環状針シリンダ・ホルダおよび外側環状針シリンダ・ホルダの傾斜角は、水平方向に対し好ましくは５０°〜６０°、または最も好ましくは５５°である。
【発明を実施するための最良の形態】
【０００９】
本発明は以下の説明および添付の図面を参照することにより、より完全に理解することができる。
図１〜３を参照すると、本発明による二重斜面タイプの二重編丸編機が、ディスク１を備えて示されている。ディスク１は、内側環状針シリンダ・ホルダ１０、および内側環状針シリンダ・ホルダ１０の周りの外側環状針シリンダ・ホルダ２０を備える。内側環状針シリンダ・ホルダ１０および外側環状針シリンダ・ホルダ２０は、二重斜面輪郭形状を示すように、２つの逆向きの方向に同じ傾斜角で傾斜している。二重斜面輪郭形状の傾斜角は、好ましくは５０°〜６０°、最も好ましくは５５°である。
【００１０】
内側環状針シリンダ・ホルダ１０は、その内側面上に内側ベース部材１１が、傾斜角が固定されて設置されている。複数の扇型の内側カム調節部材（内側カム・ブロック支持部材）１２が、内側ベース部材１１の上側面上に固定装着され、かつ内側環状針シリンダ・ホルダ１０の内部表面に沿って互いに当接されている。内側カム・ブロック１３が、各扇型の内側カム調節部材１２の底部側面にそれぞれ設けられている。複数の内側針１４が、内側環状針シリンダ・ホルダ１０と内側カム・ブロック１３の間に配置されている。内側カム・ブロック１３はそれぞれ、所定の針軌道１３１を有する。内側針１４は、編成工程を行うために、内側カム・ブロック１３の針軌道１３１内を往復運動している。
【００１１】
外側環状針シリンダ・ホルダ２０は、その外側面上に外側ベース部材２１が、傾斜角が固定されて設置されている。複数の扇型の外側カム調節部材（外側カム・ブロック支持部材）２２が、外側ベース部材２１の上側面上に固定装着され、かつ外側環状針シリンダ・ホルダ２０の外部表面に沿って互いに当接されている。外側カム・ブロック２３が、各扇型の外側カム調節部材２２の底部側面にそれぞれ設けられている。複数の外側針２４が、外側環状針シリンダ・ホルダ２０と外側カム・ブロック２３の間に配置されている。外側カム・ブロック２３はそれぞれ、所定の針軌道２３１を有する。外側針２４は、編成工程を行うために、外側のカム・ブロック２３の針軌道２３１内を往復運動している。
【００１２】
内側環状針シリンダ・ホルダ１０および外側環状針シリンダ・ホルダ２０は、二重斜面輪郭形状を示すように配置されており、したがって、扇型の内側カム調節部材１２および扇型の外側カム調節部材２２は、二重斜面の方式で配置され、かつ、たとえば５５°傾斜しており、内側針１４および外側針２４もまた、二重斜面の方式で配置され、かつ５５°傾斜している。
【００１３】
図１〜３を参照すると、扇型の内側カム調節部材１２および扇型の外側カム調節部材２２が、ねじ５０によって内側ベース部材１１および外側ベース部材２１にそれぞれ固定されている。内側環状針シリンダ・ホルダ１０および外側環状針シリンダ・ホルダ２０が、ねじ５０によって機械ベースに固定されている。
【００１４】
図４ａ〜４ｅを参照すると、上記で述べたように、扇型の内側カム調節部材１２および扇型の外側カム調節部材２２が、二重斜面の方式でディスク１上に配置され、かつ５５°傾斜しており、内側針１４および外側針２４もまた、二重斜面の方式でディスク１上に配置され、かつ５５°傾斜している。上記で述べたように、内側針１４および外側針２４が、２つの側面に対称的に配置され、同じ傾斜角を保持されている。この二重斜面配置は、針１４と２４のタックおよび引き出し動作を容易にする。従来の二重編丸編機と比較したとき、本発明の二重斜面タイプの二重編丸編機は、よりコンパクトであり、かつ軽量である。さらに、内側針１４および外側針２４が、対称的な関係で扇型の内側および外側カム調節部材１２および２２内にそれぞれ配置され、かつ同じ傾斜角に保持されるため、編地のリブ状構造は、より良い弾力性、均一性、気密性、および堅さを有する。
【００１５】
図４ａ〜４ｅを参照すると、編成中、内側針１４および外側針２４が、糸フィーダ３０からの糸３１を、編地３２に編成するために、所定の編成パターンに従って、内側カム・ブロック１３の針軌道１３１および外側カム・ブロック２３の針軌道２３１内を往復運動している。編地３２を編成するために、カム・ブロック１３および２３の針軌道１３１および２３１内で針１４および２４を往復運動させる手順は、公知の技術のものであるため、この点でのさらに詳細な説明は必要ではない。
【００１６】
図５ａ〜５ｅを参照すると、編成中、編成された単一の編物３３を押さえることを補助するように、外側針と平行に配置され往復運動可能な棒状のシンカ４０が、所定の数の外側針２４と連結されていてもよい。
【００１７】
図６ａ〜６ｅを参照すると、編成中、編成された単一の編物３３を押さえることを補助するように、内側針と平行に配置され往復運動可能な棒状のシンカ４０が、所定の数の内側針１４と連結されていてもよい。
【００１８】
本発明の適用は、針の編成ストロークの際の力の分散の影響による、編成動作中の、直角に配置された水平方向針シリンダ・ホルダおよび垂直方向針シリンダ・ホルダを有するタイプの従来の二重編丸編機で一般的にみられる、不均等な編目の長さおよび編目のトビの欠点を除去する。本発明は、内側環状針シリンダ・ホルダおよび外側環状針シリンダ・ホルダを、５０°〜６０°で二重斜面の方式で配置させるため、編成中、内側針および外側針が、同じ傾斜角で２つの側面で往復運動する。このようにして、本発明は、より良い弾力性、均一性、気密性、および堅さを有する布地を編成するための、針のタックおよび引き出し動作を容易にする。
【００１９】
さらに、内側環状針シリンダ・ホルダおよび外側環状針シリンダ・ホルダが、５０°〜６０°で二重斜面の方式で配置されているため、編地が、内側環状針シリンダ・ホルダと外側環状針シリンダ・ホルダの間の隙間を通って底部側面へ落ち、垂直方向に延びる針ホルダの傾斜面が、編地の曲線を妨害するという、従来の二重編丸編機の欠点を除去する。さらに、編地を押さえ、編地を滑らかに保持することを助けるために、シンカが使用され、内側針または外側針と結合されてもよい。さらに、二重斜面タイプの二重編丸編機は、従来の二重編丸編機によって達成することができない、両面のリバーシブル布地または両面の不規則な形の布地を編成するために実用的である。
【００２０】
本発明の特定の実施形態が、例示の目的のために詳細に説明されてきたが、様々な修正および改良が、本発明の精神および範囲から逸脱することなく行われてもよい。したがって、本発明は、添付の特許請求の範囲以外では限定されるものではない。
【図面の簡単な説明】
【００２１】
【図１】本発明による二重斜面タイプの二重編丸編機のディスクの立面図である。
【図２】本発明による二重斜面タイプの二重編丸編機の一部分の拡大図である。
【図３】本発明による二重斜面タイプの二重編丸編機の内側環状針ホルダおよび外側環状針ホルダの断面図である。
【図４ａ】編成中の２つの針の移動の流れを示す本発明の概略図である。
【図４ｂ】編成中の２つの針の移動の流れを示す本発明の概略図である。
【図４ｃ】編成中の２つの針の移動の流れを示す本発明の概略図である。
【図４ｄ】編成中の２つの針の移動の流れを示す本発明の概略図である。
【図４ｅ】編成中の２つの針の移動の流れを示す本発明の概略図である。
【図５ａ】編成中の１つの外側針および１つのシンカの移動の流れを示す本発明の概略図である。
【図５ｂ】編成中の１つの外側針および１つのシンカの移動の流れを示す本発明の概略図である。
【図５ｃ】編成中の１つの外側針および１つのシンカの移動の流れを示す本発明の概略図である。
【図５ｄ】編成中の１つの外側針および１つのシンカの移動の流れを示す本発明の概略図である。
【図５ｅ】編成中の１つの外側針および１つのシンカの移動の流れを示す本発明の概略図である。
【図６ａ】内側針編成中の１つのシンカおよび１つの内側針の移動の流れを示す本発明の概略図である。
【図６ｂ】内側針編成中の１つのシンカおよび１つの内側針の移動の流れを示す本発明の概略図である。
【図６ｃ】内側針編成中の１つのシンカおよび１つの内側針の移動の流れを示す本発明の概略図である。
【図６ｄ】内側針編成中の１つのシンカおよび１つの内側針の移動の流れを示す本発明の概略図である。
【図６ｅ】内側針編成中の１つのシンカおよび１つの内側針の移動の流れを示す本発明の概略図である。
【符号の説明】
【００２２】
１  ディスク
１０  内側環状針シリンダ・ホルダ
１１  内側ベース部材
１２  内側カム調節部材
１３  内側カム・ブロック
１４  内側針
２０  外側環状針シリンダ・ホルダ
２１  外側ベース部材
２２  外側カム調節部材
２３  外側カム・ブロック
２４  外側針
３０  糸フィーダ
３１  糸
３２  編地
３３  編物
４０  シンカ
５０  ねじ
１３１、２３１  針軌道
【図１】
0005825461.tif 000002
【図２】
0005825461.tif 000003
【図３】
0005825461.tif 000004
【図４ａ】
0005825461.tif 000005
【図４ｂ】
0005825461.tif 000006
【図４ｃ】
0005825461.tif 000007
【図４ｄ】
0005825461.tif 000008
【図４ｅ】
0005825461.tif 000009
【図５ａ】
0005825461.tif 000010
【図５ｂ】
0005825461.tif 000011
【図５ｃ】
0005825461.tif 000012
【図５ｄ】
0005825461.tif 000013
【図５ｅ】
0005825461.tif 000014
【図６ａ】
0005825461.tif 000015
【図６ｂ】
0005825461.tif 000016
【図６ｃ】
0005825461.tif 000017
【図６ｄ】
0005825461.tif 000018
【図６ｅ】
0005825461.tif 000019